(57)【特許請求の範囲】
【請求項１】
外壁に設けられた開口部の外側からサッシを嵌め込んで固定するサッシの取付構造であって、
サッシは、下枠固定金具および上枠固定金具を介して開口部に固定されてなり、
下枠固定金具は、開口部の下辺であって、外壁の厚み部分に設けられ、その上にサッシ下枠が載置できるようになされたスペーサ部材と、室内下地上に固定される板状の固定片とからなり、開口部の下辺に設けられたスペーサ部材からは、室内下地上に固定された固定片に向けて連結部が延設され、この連結部と固定片とは、連結ビスで連結および連結解除可能となされ、
上枠固定金具は、建物軸組に固定される板状に形成されてなり、
開口部の外側から嵌め込まれるサッシは、下枠固定金具のスペーサ部材上に下枠が載置され、下枠から延設された固定リブがスペーサ部材の室外側立面に当接されて、当該立面に室外側からビス固定され、上枠から延設された固定リブが上枠固定金具の室外側面に当接されて、当該室外側面に室外側からビス固定され、かつ室内下地の端縁とサッシとの間隙の位置から連結ビスを螺合または螺合解除することで、固定片とスペーサ部材とが連結および連結解除可能となされたことを特徴とするサッシ取付構造。
【請求項２】
開口部の下辺に、室外側から外壁の厚み方向に沿って延設されるとともに、室内側で上方に立ち上げられた防水シートが設けられ、この防水シート上にスペーサ部材を載置するようになされた請求項１記載のサッシ取付構造。
【請求項３】
防水シートは、バルコニー床の防水シートと一体化された請求項２記載のサッシ取付構造。
【発明の詳細な説明】
【技術分野】
【０００１】
本発明は、住宅内のバルコニーなどに面して設けられるサッシの取付構造に関するものである。
【背景技術】
【０００２】
従来より、バルコニーに面したサッシは、出入段差が少なくなるように取り付けられている。したがって、バルコニー床部に雨水が溜まっても浸水しないように、バルコニー床のシート防水をサッシ下から室内側へ立ち上げて防水高さを確保していた。そして、この立ち上げた防水シートの上にバルコニー用サッシの下枠を載せるようにしてバルコニー用サッシを外壁開口部に固定していた。
【０００３】
この固定は、図５に示すように、外壁開口部の下辺ａにおいて、厚み方向に延設された防水シートｂ上にスペーサｃを設け、このスペーサｃの上にサッシｄの下枠ｅを載置してサッシｄの下枠ｅから延設された固定片ｆをスペーサｃに当接した後、外側から固定片ｆ、スペーサｃを介し、防水シートｂを貫通して軸組ｇにビスｈで固定していた。そして、ビスｈを被覆するように、サッシｄの下枠ｅと防水シートｂとの間隙をシール材ｉでシーリングしていた。また、室内側からは、床板ｊの上に当接された下枠ｅの縁部ｋをビスｍで床板ｊに固定していた（例えば、特許文献１参照）。
【先行技術文献】
【特許文献】
【０００４】
【特許文献１】特開２００３−２５３９６４号公報
【発明の概要】
【発明が解決しようとする課題】
【０００５】
住宅建物の長寿命化（高耐久化）を図るために、バルコニー床の防水シートｂは、定期的に防水メンテナンスをする必要がある。しかし、上記従来のサッシ取付構造の場合、バルコニー床の防水シートｂは、サッシｄの下、すなわち外壁開口部の下辺ａから室内側へ立ち上げているため、防水シートｂを交換する際には、サッシｄを取り外さなければならない。このサッシｄの取り外し作業を行なう場合、室外側からシール材ｉを切ってビスｈを外さなければならないが、下枠は、非常に低い位置にあるため、ビスｈの取り外し作業が困難になる。また、上枠は、サッシ上の外壁を取り外したりしなければならず、交換作業が煩わしく、大掛かりなメンテナンス工事が必要となってしまう。
【０００６】
また、サッシｄが二階に設けられた腰窓のような場合には、メンテナンスの必要があってサッシｄを取り外すには、室外側からシール材ｉを切ってビスｈを外す際、室外側に身を乗り出してビスｈの位置を探りながらをビスｈを取り外さなければならず、作業が困難になるといった不都合を生じることとなる。
【０００７】
また、上記従来のサッシ取付構造の場合、サッシｄを固定するために使用するビスｈによって、防水シートｂが穿孔されることとなるため、外部からの防水納まりは、シール材ｉのみによるものになってしまう。したがって、このシール材ｉが万一切れた場合には、この穿孔部を介して雨水などが浸入する恐れがあり、充分な防水性、安全性を確保することができなくなるといった不都合を生じる。
【０００８】
本発明は係る実情に鑑みてなされたものであって、メンテナンス性の向上を図ることができるサッシ取付構造を提供することを目的としている。
【課題を解決するための手段】
【０００９】
上記課題を解決するための本発明のサッシ取付構造は、外壁に設けられた開口部の外側からサッシを嵌め込んで固定するサッシの取付構造であって、サッシは、下枠固定金具および上枠固定金具を介して開口部に固定されてなり、下枠固定金具は、開口部の下辺であって、外壁の厚み部分に設けられ、その上にサッシ下枠が載置できるようになされたスペーサ部材と、室内下地上に固定される板状の固定片とからなり、開口部の下辺に設けられたスペーサ部材からは、室内下地上に固定された固定片に向けて連結部が延設され、この連結部と固定片とは、連結ビスで連結および連結解除可能となされ、上枠固定金具は、建物軸組に固定される板状に形成されてなり、開口部の外側から嵌め込まれるサッシは、下枠固定金具のスペーサ部材上に下枠が載置され、下枠から延設された固定リブがスペーサ部材の室外側立面に当接されて、当該立面に室外側からビス固定され、上枠から延設された固定リブが上枠固定金具の室外側面に当接されて、当該室外側面に室外側からビス固定され、かつ室内下地の端縁とサッシとの間隙の位置から連結ビスを螺合または螺合解除することで、固定片とスペーサ部材とが連結および連結解除可能となされたものである。
【００１０】
また、上記サッシ取付構造において、開口部の下辺に、室外側から外壁の厚み方向に沿って延設されるとともに、室内側で上方に立ち上げられた防水シートが設けられ、この防水シート上にスペーサ部材を載置するようになされたものであってもよい。
【００１１】
さらに、防水シートは、バルコニー床の防水シートと一体化されたものであってもよい。
【発明の効果】
【００１２】
以上述べたように、本発明によると、室内下地の端縁とサッシとの間隙の位置から連結ビスを螺合解除することで、固定片とスペーサ部材とを連結解除することができるので、この連結を解除した後、室外側からサッシの上枠と開口部の上辺とを固定しているビスを取り外せば、サッシを室外側に取り外すことができる。したがって、外壁や内装を取り外すことなく、簡単にサッシの着脱を行ってメンテナンス性の向上を図ることができる。また、固定片とスペーサ部材との連結を解除することで、サッシの下枠にスペーサ部材を固定したままサッシを室外側に取り外すことができるので、サッシの下枠の下側に充分な作業スペースが無くても簡単にサッシの着脱を行うことができる。
【００１３】
また、開口部に防水シートを設けた場合であっても、防水シートに穿孔することなく、室内下地に固定した下枠固定金具と、軸組に固定した上枠固定金具とによってサッシを固定するため、防水性の向上を図ることができる。
【図面の簡単な説明】
【００１４】
【図１】本発明に係るサッシ取付構造の全体構成の概略を示す断面図である。
【図２】図１のサッシ取付構造において、開口部からサッシを取り外す途中過程の状態を示す断面図である。
【図３】図１のサッシ取付構造において、開口部からサッシを取り外した状態を示す断面図である。
【図４】本発明に係るサッシ取付構造に使用する下枠固定金具の全体構成の概略を示す斜視図である。
【図５】従来のサッシ取付構造を示す断面図である。
【発明を実施するための形態】
【００１５】
以下、本発明の実施の形態を図面を参照して説明する。
【００１６】
図１はサッシ取付構造の全体構成の概略を示し、図２および図３は同サッシ取付構造の施工過程を示している。
【００１７】
このサッシ取付構造は、外壁１の開口部１０の下辺１０ａに防水シート２が設けられ、この防水シート２上に載置するようにして開口部１０の外側からサッシ３を嵌め込んで固定するようになされており、開口部１０の下辺１０ａと上辺１０ｂとに下枠固定金具４と上枠固定金具５とを介してサッシ３を取り付けるようになされている。
【００１８】
外壁１に設けられた開口部１０は、二階バルコニー２１に隣接して掃き出し窓サイズのサッシ３を取付可能な大きさに開口されている。
【００１９】
開口部１０の下辺１０ａは、梁６の上に設けられた床下地７の表面高さよりも低くなるように設定されている。これにより、この開口部１０の下辺１０ａは、その上にサッシ３の下枠３１が固定された状態で、床下地７の表面に施工される化粧床材７１と、サッシ３の下枠３１とが略同じ高さになるように構成されている。また、バルコニー２１の表面は、この開口部１０の下辺１０ａよりも低くなるように構成されている。これにより、バルコニー２１の表面にバルコニー床材２２を敷設した状態で、バルコニー床材２２とサッシ３の下辺３１と化粧床材７１とがフラット仕様のバリアフリー構造となされる。開口部１０の下辺１０ａは、外壁１を構成する外壁パネル１１や軸組１２を設けるほどの空隙が梁６の上に確保できないので、梁６上に設けたリップ溝型鋼１２ａとスペーサ１２ｂとによって梁６上から下辺１０ａまでの高さが調節されている。また、バルコニー２１によって外壁パネル１１も隠れてしまうので、この下辺１０ａ下の外壁パネル１１に相当する部分には、下地板１１ａが設けられている。
【００２０】
開口部１０の上辺１０ｂは、上記した開口部１０の下辺１０ａの上にサッシ３を載置した状態で、開口部１０にサッシ３が納まり、かつ、外壁１の外側からサッシ３を嵌め込むことができる高さに設定されている。
【００２１】
防水シート２は、上記開口部１０の下辺１０ａにおいて、室外側から外壁１の厚み方向に沿って室内側に延設され、室内側で床下地７の表面の高さまで立ち上げられている。この防水シート２は、バルコニー２１上に設けられる防水シート２がそのまま延設されたものであってもよいし、この開口部１０の下辺１１に合わせて形成され、バルコニー２１上で、このバルコニー２１上に設けられる防水シート２と融着一体化するものであってもよい。また、防水シート２は、防水シート２のみで構成されたものであってもよいし、鋼板の表面に貼設されたものであってもよい。具体的にこの防水シート２は、バルコニー２１上から開口部１０の下辺１０ａの高さまで立上り、その後、外壁１の厚み方向に沿って、下地板１１ａ、スペーサ１２ｂの端面上を水平方向に室内側に延設される。そして、梁６の上に設けられた床下地７の外壁側端面７ａに沿って、当該床下地７の表面付近の高さ位置まで立ち上げられる。
【００２２】
サッシ３は、開口部１０に設けることができるようになされた汎用のものが使用可能である。
【００２３】
下枠固定金具４は、図４に示すように、略リップ溝型に形成されたスペーサ部材４１と、板状に形成された固定片４２とによって構成されている。
【００２４】
スペーサ部材４１は、開口部１０の下辺１０ａ上であって、外壁１の軸組１２に相当する部分、本実施の形態の場合はスペーサ１２ｂの上に載置可能な大きさ、かつ、長さの略リップ溝型に形成されている。また、このスペーサ部材４１の高さｈは、その上にサッシ３を載置した状態で、サッシ３の下枠３１と、床下地７の表面に施工される化粧床材７１とを略同じ高さにできるようになされたものが用いられる。スペーサ部材４１は、防水シート２を介してスペーサ１２ｂの上に、溝底面４１ａが天面となるように載置される。スペーサ部材４１は、この載置状態で溝底面４１ａとサッシ３の下枠３１とをビス４３で固定できるように溝底面４１ａに間隔をあけて複数のビス挿通孔４１ｂが設けられている。また、スペーサ部材４１は、室外側立面４１ｃに相当する位置に間隔をあけて複数のビス孔４１ｄが設けられ、サッシ３の下枠３１から延設された固定リブ３１ａと室外側立面４１ｃとを当接した状態で、この固定リブ３１ａを室外側立面４１ｃにビス４４で螺合固定できるようになされている。また、室内側立面４１ｅは、適宜の間隔をあけた複数箇所から連結部４１ｆが設けられている。この連結部４１ｆは、溝底面４１ａから室内側立面４１ｅとは反対方向に延設され、その延設先端部が、さらに室内方向に水平に屈曲するようになされている。この連結部４１ｆにも連結ビス４５を螺合するためのビス孔４１ｇが設けられている。
【００２５】
固定片４２は、板状に形成されてなり、上記スペーサ部材４１の連結部４１ｆに設けられたビス孔４１ｇと合致するビス挿通孔４２ａが設けられている。また、床下地７に固定片４２をビス４６で固定するためのビス挿通孔４２ｂも設けられている。
【００２６】
固定片４２は、連結部４１ｆ毎に分離されており、連結部４１ｆに当接した状態で、連結部４１ｆに連結ビス４５で固定される。
【００２７】
上枠固定金具５は、階段上に屈曲されて軸組当接面５１とサッシ当接面５２とを有する板状に形成されてなる。軸組当接面５１には、この上枠固定金具５を軸組１２に当接した状態で、この軸組１２にビス５３で固定するためのビス挿通孔５１ａが設けられている。サッシ当接面５２には、このサッシ当接面５２に当接したサッシ３の上枠３２の固定リブ３２ａを、このサッシ当接面５２にビス５４で螺合固定するためのビス孔５２ａが設けられている。
【００２８】
次に、このサッシ取付構造の施工工程について説明する。
【００２９】
まず、サッシ３を取り付ける際には、下枠固定金具４のスペーサ部材４１と固定片４２とを別々とし、サッシ３の下枠３１の位置にスペーサ部材４１を固定する。このスペーサ部材４１の固定は、サッシ３の下枠３１の固定リブ３１ａを室外側立面４１ｃにビス４４で固定し、溝底面４１ａを下枠３１にビス４３で固定することによって行う。また、サッシ３の上枠３２に設けられた固定リブ３２ａに、上枠固定金具５のサッシ当接面５２を当接し、当該上枠固定金具５をビス５４でサッシ３の上枠３２に固定しておく。
【００３０】
この状態で、開口部１０の外側からサッシ３を開口部１０に嵌めこみ、サッシ３の下枠３１に固定していたスペーサ部材４１を、開口部１０の下辺１０ａのスペーサ１２ｂの位置で、防水シート２上に載置させる。そして、スペーサ部材４１の連結部４１ｆに設けたビス孔４１ｇの上に、固定片４２のビス挿通孔４２ａを合致させ、上方から連結ビス４５を螺合固定して連結部４１ｆに固定片４２を固定する。固定片４２は、床下地７との隙間を隙間調整スペーサ７２で埋めて、この床下地７にビス４６で固定する。
【００３１】
また、上枠固定金具５の軸組当接面５１を、開口部１０の上辺１０ｂの軸組１２に相当する部分に当接し、室外側から上枠固定金具５を軸組１２にビス５３で螺合固定する。
【００３２】
この固定後は、外壁パネル１１、化粧床材７１、室内上枠材８、内壁パネル９などを仕上げた後、化粧床材７１の端縁とサッシ３との間隙を被覆する下枠見切材３１ｂを化粧床材７１にビス７３で固定して、ビス７３の固定部分を被覆するように、カバー材３１ｃを設ける。また、室内上枠材８の端縁とサッシ３との間隙を被覆する上枠見切材３２ｂを室内上枠材８にビス８１で固定して、ビス８１の固定部分をカバー材３２ｃで被覆する。
【００３３】
また、この固定状態で、サッシ３の下枠３１とその下の防水シート２との間隙、上枠３２とその上の外壁パネル１１との間隙を含む、サッシ３の周縁は、シール材３３によってシールされる。
【００３４】
次に、このサッシ取付構造において、バルコニー２１の防水シート２を交換したり、サッシ３自体が老朽化したり、何らかの理由でサッシ３を取り外す場合について述べる。
【００３５】
まず、室内側では、下枠見切材３１ｂからカバー材３１ｃを取り外してビス７３を取り外した後、下枠見切材３１ｂを取り外す。同様に、上枠見切材３２ｂからカバー材３２ｃを取り外してビス８１を取り外す。
【００３６】
図２に示すように、下枠見切材３１ｂを取り外すと、化粧床材７１の端縁とサッシ３との間隙から、下枠固定金具４のスペーサ部材４１の連結部４１ｆと固定片４２とを連結固定する連結ビス４５が見えるので、この連結ビス４５を取り外す。
【００３７】
一方、室外側では、サッシ３の周縁のシール材３３を切り、サッシ３の上枠３２の固定リブ３２ａと上枠固定金具５とを固定しているビス５４を取り外す。
【００３８】
これにより、図３に示すように、サッシ３は、室外側に取り外すことが可能となる。
【００３９】
この際、サッシ３は、外壁パネル１１や化粧床材７１を取り外したりすることなく、取り外すことができる。また、スペーサ部材４１と固定片４２との固定を室内側から解除して、スペーサ部材４１を下枠３１に固定したままサッシ３を取り外すことができるので、防水シート２と下枠３１との間の低く狭い空間で下枠３１の取り外す作業を行なわなくても、サッシ３を取り外すことができる。したがって、優れたメンテナンス性が得られることとなる。
【００４０】
取り外したサッシ３を再度、開口部１０に取り付ける場合は、サッシ３の下枠３１にスペーサ部材４１を固定した状態のまま、サッシ３を開口部１０の外側から開口部１０に嵌め込み、サッシ３の下枠３１に固定していたスペーサ部材４１を、開口部１０の下辺１０ａのスペーサ１２ｂの位置で、防水シート２上に載置させる。そして、スペーサ部材４１の連結部４１ｆに設けたビス孔４１ｇの上に、固定片４２のビス挿通孔４２ａを合致させ、上方から連結ビス４５を螺合固定して連結部４１ｆに固定片４２を固定する。
【００４１】
また、サッシ３の上枠３２に設けられた固定リブ３２ａを上枠固定金具５のサッシ当接面５２に当接し、室外側からサッシ３の上枠３２を上枠固定金具５にビス５４で螺合固定する。
【００４２】
この固定後は、化粧床材７１の端縁とサッシ３との間隙を被覆する下枠見切材３１ｂを化粧床材７１にビス７３で固定して、ビス７３の固定部分を被覆するように、カバー材３１ｃを設ける。また、室内上枠材８の端縁とサッシ３との間隙を被覆する上枠見切材３２ｂを室内上枠材８にビス８１で固定して、ビス８１の固定部分をカバー材３２ｃで被覆する。
【００４３】
また、この固定状態で、サッシ３の下枠３１とその下の防水シート２との間隙、上枠３２とその上の外壁パネル１１との間隙を含む、サッシ３の周縁は、シール材３３によってシールする。
【００４４】
このサッシ取付構造の場合、上記したように、サッシ３の下枠３１に施工前にスペーサ部材４１を固定しておき、取り外す際もこのスペーサ部材４１ごとサッシ３を取り外すため、下枠３１の下側のシール材３３の部分でビスを取り付けたり、取り外したりする作業が無くなる。したがって、バルコニー２１から立ち上がった防水シート２の立上り高さＨを低く設定することも可能となる。この立上り高さＨを低く設定しても、前記したように、このサッシ取付構造は、充分な防水性を確保することができる。特に、サッシ３側からバルコニー２１の手摺（図示省略）側に下り勾配を設けたバルコニー２１の場合、下り勾配を確保するために、このサッシ３側の防水シート２の立上り高さＨを出来るだけ低く設定したいので、このサッシ取付構造は、このようなバルコニー２１に好適に用いることができる。
【００４５】
また、このサッシ取付構造によると、開口部１０の下辺１０ａに設けた防水シート２にビス孔を穿孔しないので、万一シール材３３が切れるようなことがあったとしても、防水性を確保することができる。また、このように防水性を確保することができるので、防水シート２から浸水して軸組１２や梁６などが腐食するといった心配も無く、安全性も確保できることとなる。
【００４６】
なお、サッシ３の縦枠と外壁１の軸組１２との間も固定が行われるが、サッシ３の縦枠は現状でも外壁１などへ影響を与えることなく、着脱することができる構成となっているため、ここでは説明を省略する。
【００４７】
また、本実施の形態において、サッシ取付構造は、バルコニー２１に面して、掃き出し窓サイズのサッシ３を取り付ける場合について述べているが、このようなバルコニー２１に面したサッシ３に限定されるものではなく、バルコニー出入用以外の腰窓タイプの開口部１０にサッシ３を取り付ける場合であってもよい。
【００４８】
さらに、本実施の形態において、サッシ取付構造は、開口部１０の下辺１０ａに防水シート２が延設されており、この防水シート２に穿孔せずに、当該防水シート２上に設けられたサッシ３を取り付けることができるようになされているが、このような防水シート２が延設された開口部１０の下辺１０ａに限定されるものではなく、通常の各種開口部１０にサッシ３を固定する場合に用いるものであってもよい。この場合も本願発明のサッシ取付構造は、開口部１０の下辺１０ａとサッシ３の下枠３１との間隙からサッシ３の取り付けおよび取り外し作業を行わなくて良いといった効果を発揮できるので、サッシ３の下枠３１の下に充分な作業スペースを確保できないような箇所にサッシ３を取り付けたり取り外したりする場合にも有効となる。
【００４９】
さらに、本実施の形態において、サッシ取付構造は、下枠固定金具４のスペーサ部材４１が、開口部１０の下辺１０ａ上に載置可能な長さに形成されているが、このような長尺のスペーサ部材４１ではなく、短く形成されたスペーサ部材４１とこれに連結可能な固定片４２とからなる下枠固定金具４を、開口部１０の下辺１０ａの数箇所に分散して設けるように構成したサッシ取付構造であってもよい。
【産業上の利用可能性】
【００５０】
本発明に係るサッシ取付構造は、住宅建物内の各種サッシ、特にバルコニーに面した掃き出し窓を構成するサッシの取り付けに用いられる。
【符号の説明】
【００５１】
１  外壁
１０  開口部
１０ａ  下辺
１０ｂ  上辺
１２  軸組
２  防水シート
３  サッシ
３１  下枠
３１ａ  固定リブ
３２  上枠
３２ａ  固定リブ
４  下枠固定金具
４１  スペーサ部材
４１ｃ  室外側立面
４１ｇ  連結部
４２  固定片
４３  連結ビス
５  上枠固定金具
５２  サッシ当接面（室外側面）
７  床下地（室内側下地）
【図１】
0005316494.tif 000002
【図２】
0005316494.tif 000003
【図３】
0005316494.tif 000004
【図４】
0005316494.tif 000005
【図５】
0005316494.tif 000006